(57)【要約】【課題】上下及び水平の両方向の高周波微振動に対する防振性が高く、耐久性が高い液体封入式マウントを提供すること。【解決手段】液体封入式マウント１は、カップ状の容器１０と、スタッド２０と、蓋部材としての可撓性密封蓋３０と、弾性支持部材６０と、高粘性の液体７０と、減衰板８０と、スプリング９０とを有する。弾性支持部材６０は、スタッド２０の下部に固定されるとともに、減衰板８０の上面に当接するように配置され、スプリング部材９０との間で減衰板８０を挟持するように減衰板８０の上面より減衰板８０を支持する。【選択図】図１
2015183805.tif 000002
【特許請求の範囲】
【請求項１】
第１の部材と第２の部材間に取り付けられ、第１の部材又は第２の部材に入力される振動を防振するための液体封入式マウントであって、
天部に開口部を有し、前記第１の部材に取り付けられたカップ状の容器と、
前記容器の開口部の中央に位置するように配置され、前記第２の部材に取り付けられたスタッドと、
前記スタッドの外周面に固着され、前記容器との間で密閉室を形成するように前記開口部に固定された蓋部材と、
前記密閉室に封入された高粘性の液体と、
前記液体に浸かる状態で、前記容器の内壁との間で前記液体を流通可能とする流路となる隙間を有するように前記密閉室に配置され、前記スタッドに対して、所定距離移動可能な状態で、前記スタッドの下部に取り付けられた減衰板と、
前記減衰板の下面と前記容器の底壁との間に配置され、前記減衰板を支持するスプリング部材と、
前記スタッドの下部に固定されるとともに、前記減衰板の上面に当接するように配置され、前記スプリング部材との間で前記減衰板を挟持するように前記減衰板の上面より前記減衰板を支持する弾性支持部材と
を具備することを特徴とする液体封入式マウント。
【請求項２】
請求項１に記載の液体封入式マウントであって、
前記減衰板は、円盤部と、当該円盤部の外縁に接続された円筒部とからなる
ことを特徴とする液体封入式マウント。
【請求項３】
請求項１又は２に記載の液体封入式マウントであって、
前記減衰板は、前記スタッドに対して、軸方向及び／又は軸直角方向に隙間を有して取り付けることで、所定距離移動可能な状態にした
ことを特徴とする液体封入式マウント。
【請求項４】
請求項１から３のうちいずれか１項に記載の液体封入式マウントであって、
前記減衰板は、前記弾性支持部材の当接部が係止され、前記弾性支持部材の径方向の移動を規制する係止部を有する
ことを特徴とする液体封入式マウント。
【請求項５】
請求項１から４のうちいずれか１項に記載の液体封入式マウントであって、
前記弾性支持部材は、前記減衰板の上面に向けて突出して前記減衰板に当接し、かつ、前記スタッドと面する側に隙間を有する突条部を有する
ことを特徴とする液体封入式マウント。
【請求項６】
請求項１から５のうちいずれか１項に記載の液体封入式マウントであって、
前記スタッドは、前記弾性支持部材が当該スタッドの下端部から嵌め込まれたときに突き当てられる段部が形成されたスタッド本体と、前記弾性支持部材が嵌合固定されたときに、前記弾性支持部材の下面との間で所定の間隔を有するように前記スタッド本体の下端に取り付けられ、かつ、前記減衰板の内径よりも大きな外径を有するワッシャ部材とを有し、
前記減衰板は、前記スタッドに対して隙間をもって前記間隔に取り付けられている
ことを特徴とする液体封入式マウント。
【請求項７】
請求項５に記載の液体封入式マウントであって、
前記弾性支持部材は、金属よりなるリング状部材と、前記リング状部材の外周面に固着された円筒状の弾性本体部よりなり、前記減衰板に対向する面に前記突条部を備える
ことを特徴とする液体封入式マウント。
【請求項８】
請求項１から７のうちいずれか１項に記載の液体封入式マウントであって、
フランジ部と、前記フランジ部に接続された円筒部とを有し、前記蓋部材の外周縁部が固着され、前記容器の開口部に取り付けられた保持部材と、
前記円筒部が埋め込まれ、前記蓋部材の外縁部から前記容器の内壁に沿って軸方向下方へ延設され、前記スタッドに対向する内壁面を有する円筒状弾性部材と、を更に具備し、
前記弾性支持部材は、前記スタッドの外周面に配置され、前記円筒状弾性部材の内壁面と所定の間隔をもって対向する外周面を有する
ことを特徴とする液体封入式マウント。
【発明の詳細な説明】
【技術分野】
【０００１】
本発明は、自動車や建設機械、産業機械のエンジンやモータの防振マウント、大型自動車や建設機械の運転台（キャブ）の防振マウント及び産業機械の発電機などの防振マウントなどに用いられる液体封入式マウントに関する。
【背景技術】
【０００２】
防振マウントは、被防振体を支持するとともに、車体などのベースに対して振動を絶縁するものである。従来から、例えば被防振体の荷重を内蔵するコイルスプリングにより支持し、容器内に封入された高粘性液の流動抵抗により入力された振動を減衰する技術が開示されている。
【０００３】
特許文献１に開示された液体封入式マウントは、スタッド（４２）が摺動自在とされた円筒状の積層ゴム（４３）により容器の開口を塞ぎ、スタッド（４２）先端に取り付けられた減衰板（５０）を高粘性液（６０）が封入された容器内に配置し、減衰板（５０）の下方にスプリング（５７）を配置したものである（括弧内の符号は同文献において付された符号であり、以下同様である。）。
【０００４】
特許文献２に開示された液体封入式マウントは、スタッド（３）が貫通する膜状の蓋（８）により容器の開口を塞ぎ、スタッド（３）先端に取り付けられた可動減衰板（４）及びスタッド（３）を取り囲む固定減衰板（１０）を高粘性液（２）が封入された容器内に配置し、可動減衰板（４）の下方にスプリング（１３）を配置したものである。
【０００５】
これらの特許文献１及び２に開示された液体封入式マウントでは、上下方向の振動は、スプリングの変形で吸収し、減衰板の撹拌抵抗で減衰するものであるが、印加される振動が、高周波振動である場合、それに応じて減衰板が変位しても高粘性液の流動が追い付かず、高粘性液は見かけ上硬質材として振る舞い、振動をそのまま伝えてしまうことがある。
特に、自動車や建設機械などの防振装置として従来の液体封入式マウントを使用する場合、例えば、走行時に生じる比較的低周波大振幅振動や作業時に生じる衝撃的振動については防振性が高いが、エンジン駆動などによって生じる高周波の微小振幅振動、すなわち高周波微振動については、十分な防振性が得難いものであった。この場合、運転者は、高周波微振動を操作盤のびびりやこもり音などとして不快な振動を感じる場合がある。
【０００６】
特許文献３には、高周波微振動を減衰する技術が開示されている。特許文献３に開示された液体封入式マウントは、液体封入室（２０）に配置された減衰板（ダンパプレート２３）の周囲にスポンジからなる弾性体（２４）を固着したものである。ここで、弾性体（２４）は、ダンパプレート（２３）が液体封入室（２０）内で微小に上下振動した場合、高減衰液（２１）の抵抗により微小変形し、高周波微振動については弾性体（２３）は高減衰液（２１）の影響を受けることなく、マウントゴム（１７）による防振性を得るものである。
【先行技術文献】
【特許文献】
【０００７】
【特許文献１】特開平８−２５４２４１号公報（図５）
【特許文献２】特開２００３−３２２１９８号公報（図１）
【特許文献３】特開平７−１３３８４１号公報（図３）
【発明の概要】
【発明が解決しようとする課題】
【０００８】
以上のとおり、特許文献１及び２に開示された液体封入式マウントは、高周波微振動に対する防振性が得られない。
【０００９】
これに対して、特許文献３に開示された液体封入式マウントでは、高周波微振動に対する防振性を得ようとするものであるが、周囲が弾性体（２４）で覆われた減衰板（２３）が、厚く大きくなることから、液体封入式マウントの小型化を阻害する。加えて、高周波微振動が入力された際には、スタッド（１４）とともに減衰板（２３）が振動し、減衰板（２３）の両面に固着されたスポンジなどからなる弾性体（２４）の全体が物理的に伸縮することで、高周波微振動を吸収するが、スポンジなどの柔らかい素材からなる弾性体は、一般に物理的強度が低く、繰り返しの伸縮により、へたりや破壊が生じ易い。
【００１０】
また、特許文献３に開示された液体封入式マウントは、上下方向の高周波微振動に対して防振性を得ようとするものであるが、水平方向の高周波微振動に対しては、考慮されていない。
【００１１】
以上のような事情に鑑み、本発明の目的は、上下及び水平の両方向の高周波微振動に対する防振性が高く、かつ、耐久性が高い液体封入式マウントを提供することにある。
【課題を解決するための手段】
【００１２】
上記目的を達成するため、本発明の一形態に係る液体封入式マウントは、第１の部材と第２の部材間に取り付けられ、第１の部材又は第２の部材に入力される振動を防振するための液体封入式マウントであって、カップ状の容器と、スタッドと、蓋部材と、高粘性の液体と、減衰板と、スプリング部材と、弾性支持部材とを具備する。
前記カップ状の容器は、天部に開口部を有し、前記第１の部材に取り付けられる。
前記スタッドは、前記容器の開口部の中央に位置するように配置され、前記第２の部材に取り付けられる。
前記蓋部材は、前記スタッドの外周面に固着され、前記容器との間で密閉室を形成するように前記開口部に固定される。
前記高粘性の液体は、前記密閉室に封入される。
【００１３】
前記減衰板は、前記液体に浸かる状態で、前記容器の内壁との間で前記液体を流通可能とする流路となる隙間を有するように前記密閉室に配置され、前記スタッドに対して、所定距離移動可能な状態で、前記スタッドの下部に取り付けられる。
前記スプリング部材は、前記減衰板の下面と前記容器の底壁との間に配置され、前記減衰板を支持する。
【００１４】
前記弾性支持部材は、前記スタッドの下部に固定されるとともに、前記減衰板の上面に当接するように配置され、前記スプリング部材との間で前記減衰板を挟持するように前記減衰板の上面より前記減衰板を支持する。
【発明の効果】
【００１５】
本発明によれば、弾性支持部材とスプリング部材との間で減衰板を挟持し、減衰板をスタッドに対して、少なくとも上下方向に所定距離移動可能な状態で取り付けたので、上下方向の高周波微振動に対する防振性が高くなり、また変形するのが弾性支持部材の一部分であるので、耐久性が高くなる。
また、前記構成に加え、前記減衰板を円盤部と当該円盤部の外縁に接続された円筒部から構成するとともに、スタッドに対して、水平方向に所定距離移動可能な状態で取り付けたので、水平方向の高周波微振動、更に、上下及び水平方向の複合方向の高周波微振動の防振性を高めることが可能となる。
【図面の簡単な説明】
【００１６】
【図１】本発明の一実施形態に係る液体封入式マウントの構成を示す断面図である。
【図２】本発明の一実施形態に係る液体封入式マウントの構成を示す上面図である。
【図３】図１に示した液体封入式マウントの一部を拡大して示した断面図である。
【図４】図１に示した液体封入式マウントにおける弾性支持部材を下方からみた斜視図である。
【図５】本発明の他の実施形態に係る液体封入式マウントの構成を示す断面図である。
【図６】図５に示した液体封入式マウントにおける弾性支持部材を下方からみた斜視図である。
【図７】本発明のさらに別の実施形態に係る液体封入式マウントの構成を示す断面図である。
【発明を実施するための形態】
【００１７】
上記目的を達成するため、本発明の一形態に係る液体封入式マウントは、第１の部材と第２の部材間に取り付けられ、第１の部材又は第２の部材に入力される振動を防振するための液体封入式マウントであって、カップ状の容器と、スタッドと、蓋部材と、高粘性の液体と、減衰板と、スプリング部材と、弾性支持部材とを具備する。
前記カップ状の容器は、天部に開口部を有し、前記第１の部材に取り付けられる。
前記スタッドは、前記容器の開口部の中央に位置するように配置され、前記第２の部材に取り付けられる。
前記蓋部材は、前記スタッドの外周面に固着され、前記容器との間で密閉室を形成するように前記開口部に固定される。
前記高粘性の液体は、前記密閉室に封入される。
【００１８】
前記減衰板は、前記液体に浸かる状態で、前記容器の内壁との間で前記液体を流通可能とする流路となる隙間を有するように前記密閉室に配置され、前記スタッドに対して、所定距離移動可能な状態で、前記スタッドの下部に取り付けられる。
前記スプリング部材は、前記減衰板の下面と前記容器の底壁との間に配置され、前記減衰板を支持する。
【００１９】
前記弾性支持部材は、前記スタッドの下部に固定されるとともに、前記減衰板の上面に当接するように配置され、前記スプリング部材との間で前記減衰板を挟持するように前記減衰板の上面より前記減衰板を支持する。
【００２０】
本発明の一形態に係る液体封入式マウントでは、弾性支持部材とスプリング部材との間で減衰板を挟持するようにして、例えば、弾性支持部材を柔らかいばね、スプリング部材を硬いばねとし、これら弾性支持部材及び当該スプリング部材の直列配置で、被防振体を弾性支持する。また、減衰板は、スタッドに対して所定距離移動可能な状態で取り付けられ、上下方向、水平方向、及び、上下と水平の両方向に対して微小変位が許容される。従って、上下方向の高周波微振動に対しては、減衰板は高粘性の液体により疑似的な拘束状態となるため、スタッドが拘束状態にある減衰板に対して変位し、振動に応じて少なくとも弾性支持部材が上下方向に変形することにより振動を吸収する。一方、水平方向の高周波微振動に対しては、減衰板は高粘性の液体により同様に疑似的な拘束状態であるため、スタッドが拘束状態にある減衰板に対して変位し、減衰板内周とスタッド外周間のガタ及び減衰板に当接する弾性支持部材の水平方向変位により振動を吸収する。従って、本発明の一形態に係る液体封入式マウントは、上下及び水平の両方向の高周波微振動に対する防振性が高い。
【００２１】
本発明の一形態に係る液体封入式マウントでは、減衰板を円盤部と当該円盤部の周縁に接続した円筒部で構成しているので、減衰板の円筒部が水平移動することで、当該円筒部の表面と容器の内壁面とで挟まれた空間の液体を強制的に移動させるによる流動抵抗が生じるため、より強い水平方向減衰が得ることが可能となる。
【００２２】
本発明の一形態に係る液体封入式マウントでは、前記減衰板は、前記スタッドに対して、軸方向及び／又は軸直角方向に隙間を有して取り付けることで、所定距離移動可能な状態にしてもよい。
【００２３】
本発明の一形態に係る液体封入式マウントでは、減衰板をスタッドに対して軸方向及び／又は軸直角方向に隙間を有するように取り付け、弾性支持部材とスプリング部材との間で減衰板を挟持するという非常に簡単な構成で、上下及び水平の両方向の高周波微振動に対する防振性が高く、耐久性が高い液体封入式マウントを実現することができる。
【００２４】
本発明の一形態に係る液体封入式マウントでは、前記減衰板は、前記弾性支持部材の当接部が係止され、前記弾性支持部材の径方向の移動を規制する係止部を有してもよい。
【００２５】
本発明の一形態に係る液体封入式マウントでは、減衰板がこのような係止部を有することで、水平方向の高周波微振動に対して弾性支持部材が係止部に当接して弾性変形し、水平方向の高周波微振動をより効果的に吸収する。従って、水平方向の高周波微振動に対する防振性がより高くなる。
【００２６】
本発明の一形態に係る液体封入式マウントでは、前記弾性支持部材は、前記減衰板の上面に向けて突出して前記減衰板に当接し、かつ、前記スタッドと面する側に隙間を有する突条部を有してもよい。
【００２７】
本発明の一形態に係る液体封入式マウントでは、弾性支持部材がスタッドと面する側に隙間を有する突条部を有することで、当接する減衰板の水平方向移動により突条部がスタッド側へ変形したときに、この隙間へのボリューム移動を許容する余地ができ、水平方向の高周波微振動に対する弾性変形を大きく取ることができ、水平方向の防振性がより高くなる。その際、形状が突条であることから、この隙間への挟み込まれが生じづらい。
【００２８】
本発明の一形態に係る液体封入式マウントでは、前記スタッドは、前記弾性支持部材が当該スタッドの下端部から嵌め込まれたときに突き当てられる段部が形成されたスタッド本体と、前記弾性支持部材が嵌合固定されたときに、前記弾性支持部材の下面との間で所定の間隔を有するように前記スタッド本体の下端に取り付けられ、かつ、前記減衰板の内径よりも大きな外径を有するワッシャ部材とを有し、前記減衰板は、前記スタッドに対して隙間をもって前記間隔に取り付けられていてもよい。
【００２９】
本発明の一形態に係る液体封入式マウントでは、スタッドの段部とワッシャ部材との間で所定の隙間を作るようにして、スタッドに対して減衰板のガタがある状態、すなわち所定距離移動可能な状態にしているので、非常に簡単な構成で本発明を実現することができる。
【００３０】
本発明の一形態に係る液体封入式マウントでは、前記弾性支持部材は、金属よりなるリング状部材と、前記リング状部材の外周面に固着された円筒状の弾性本体部よりなり、前記減衰板に対向する面に前記突条部を備えていてもよい。
【００３１】
本発明の一形態に係る液体封入式マウントでは、弾性支持部材を組み込む際に、スタッドにリング状部材に挿入または圧入嵌合する作業でよく、例えばスタッドに弾性部材のみを嵌め込む場合等と比べて、スタッドに対して確実に固定して、被防振体の荷重を受けることができる。
【００３２】
本発明の一形態に係る液体封入式マウントでは、フランジ部と、前記フランジ部に接続された円筒部とを有し、前記蓋部材の外周縁部が固着され、前記容器の開口部に取り付けられた保持部材と、前記円筒部が埋め込まれ、前記蓋部材の外縁部から軸方向下方へ延設され、前記スタッドに対向する内壁面を有する円筒状弾性部材と、を更に具備し、前記弾性支持部材は、前記スタッドの外周面に配置され、前記円筒状弾性部材の内壁面と所定の間隔をもって対向する外周面を有してもよい。
【００３３】
本発明の一形態に係る液体封入式マウントでは、水平方向の振動を入力すると、その振動に伴って弾性支持部材の外周面と円筒状弾性部材の内壁面との間の隙間、すなわちこれらの間に挟まれた空間（高粘性の液体が存在する）が拡縮する。この空間の拡縮により、この空間に存在する高粘性の液体が強制流動し、水平方向の振動に対する減衰を更に得ることができる。
以下、図面を参照しながら、本発明の実施形態を説明する。
【００３４】
図１は、本発明の一実施形態に係る液体封入式マウントの構成を示す断面図である。図２はこの液体封入式マウントの構成を示す上面図である。図２におけるＡ−Ａ断面に対して矢印の方向に見た状態が図１の断面図である。図３は図１の一部拡大断面図である。ただし、図３では理解のために液体の構成を外し、図１とは異なる位置での断面としている。
【００３５】
これらの図に示すように、液体封入式マウント１は、カップ状の容器１０と、スタッド２０と、蓋部材としての可撓性密封蓋３０と、保持部材４０と、円筒状弾性部材５０と、弾性支持部材６０と、高粘性の液体７０と、減衰板８０と、スプリング９０とを有する。
【００３６】
カップ状の容器１０は、例えば金属製で、底部には底壁１１を有し、天部に開口部１２を有する。この容器１０は、開口部１２の外周に、取付け用透穴１３が設けられたフランジ部１４を有する。底壁１１の径方向（図中Ｘ方向）中央部には、凸部１７が設けられている。この凸部１７は、スプリング部材９０を位置決めし、かつ、スプリング部材９０の位置ずれを防止する。
【００３７】
スタッド２０は、容器１０の径方向（図中Ｘ方向）中央部（容器１０の軸線）に位置するように配置されている。スタッド２０は、例えば金属製で、容器１０の開口部１２側より外部に突き出て、その上端には取付け用ねじ穴２１が設けられ、取付け用ねじ穴２１には第２の部材としての例えば車輛のエンジン（図示を省略）が接続される。スタッド２０は、後述するように弾性支持部材６０が当該スタッド２０の下端部から嵌め込まれたときに突き当てられる段部２２が形成されたスタッド本体２３と、弾性支持部材６０が嵌合固定されたときに、弾性支持部材６０の下面６１との間で所定の間隔を有するようにスタッド本体２３の下端に取り付けられ、かつ、減衰板８０の内径よりも大きな外径を有するワッシャ部材２４とを有し、減衰板８０は、スタッド２０に対して隙間をもって前記間隔に取り付けられている。スタッド２０の下端にはねじ穴２５が設けられ、減衰板８０がワッシャ部材２４を介在させてボルト２６により取り付けられている。
【００３８】
可撓性密封蓋３０、保持部材４０及び円筒状弾性部材５０は、例えばスタッド２０とともに、加硫成形により一体に成形される成形部材１００により構成される。成形部材１００は、容器１０の内壁１５との間で密閉室１１０を形成するように開口部１２に固定されている。可撓性密封蓋３０及び円筒状弾性部材５０は、例えばゴム材料からなり、保持部材４０は、例えば金属製である。
【００３９】
可撓性密封蓋３０は、成形部材１００の上部の部分であり、中央の薄膜部３１とその外周の外周縁部３２とからなり、また例えばドーナツ形状となっており、その中心穴とスタッド２０の上部とは液密となるように、例えば加硫接着により固着されている。薄膜部３１は、スタッド２０又は容器１０が図示しない被防振体（例えば車輛本体やエンジン）から上下方向の負荷を受けた場合に、スタッド２０に固着された中心部又は容器１０に固着された外周縁部３２が上下方向に撓む。すなわち、薄膜部３１は、容器１０とスタッド２０とを液密に封止する機能を備えたものである。
【００４０】
保持部材４０は、可撓性密封蓋３０の外周縁部３２が固着されたフランジ部４１と、フランジ部４１に接続された円筒部４２とを有する。例えば、可撓性密封蓋３０の外周端で、円筒部４２の上部がフランジ部４１に接続され、当該円筒部４２とフランジ部材４１との接続部４３が角部を有することなく大きなＲ形状とされている。この接続部４３がＲ形状とされているので、例えば、この接続部４３を挟んで、外周縁部３２の上面側がフランジ部４１に固着され、外周縁部３２の下面側が保持円筒部４２の内壁面に固着されるので、薄膜部３１は、外周縁部３２から内径側上方に延びるように接続される。よって、スタッド２０がこじり荷重を受けたとき、一方の可撓性密閉蓋３０に圧縮荷重が加わっても、可撓性密閉蓋３０は接続部４３のアーチ状の接続面に対して突っ張るように力を受けるため、座屈による薄膜部３１の折りたたみが生じづらい。また、ゴム製の可撓性密封蓋３０の薄膜部３１が折りたたみが生じても、スタッド２０と保持部材４０間に挟まれづらいので、破壊が生じづらい。また、このとき、薄膜部３１の外周縁部３２が接続部４３のＲ形状部位に接続されていることから、外周縁部３２の上面端又は下面端の一方に極端な応力集中が生じないため、外周縁部３２は、保持部材４０の表面から剥離し難くなる。フランジ部４１は、可撓性密封蓋３０及び円筒状弾性部材５０より外周に向けて露出し、容器１０のフランジ部１４と当接し、カシメ片１６によりカシメられ、固定されている。フランジ部４１には、フランジ部１４の取付け用透穴１３と同軸となる取付け用透穴４４が設けられている。フランジ部１４、４１は、例えば車輛本体の所定の位置に配置され、取付け用透穴４４、１３を介してボルト（図示を省略）により取り付け固定される。
【００４１】
円筒状弾性部材５０は、成形部材１００の下部の部分であり、円筒形状をなしている。円筒状弾性部材５０は、円筒部４２が埋め込まれ、可撓性密封蓋３０の外周縁部３２から容器１０の内壁１５に沿って軸方向下方（図中Ｙ方向）へ延設され、スタッド２０に対向する内壁面５１を有する。ここで、円筒状弾性部材５０に円筒部４２が埋め込まれることで、円筒部４２の外周と容器１０の内壁１５の開口部１２近傍との間に円筒状弾性部材５０としてのゴム製の部材が圧縮して介在され、密閉室１１０のシール性が向上する。
【００４２】
高粘性の液体７０は、密閉室１１０に封入される。密閉室１１０には、例えば高粘性の液体７０と共に空気７１も封入される。密閉室１１０内を液体７０で満充填せず空気を残しておく、又は積極的に空気を注入しておくことで、液体７０の注入量誤差や各部品の寸法誤差による容積のズレを吸収することが容易となる。また、空気７１を所定圧に加圧して高粘性の液体７０とともに密閉室１１０に封入することで、高粘性の液体７０を加圧状態とすることができ、キャビテーションの発生を抑制し、振動を減衰させるという基本的な減衰性能をより高めることが可能である。なお、密閉室１１０が液体７０により満充填されるように構成しても勿論構わない。また、高粘性の液体の粘度は、要求される特性に合わせて適宜選択されるものであるが、特に、内燃機関の防振マウントや産業機械のキャブマウントとして使用する場合には、動粘度５，０００〜５０，０００ｍｍ２／ｓ（５，０００〜５０，０００ｃＳｔ）の範囲の粘性液が好適である。
【００４３】
減衰板８０は、液体７０に浸る状態で、容器１０の内壁１５との間で液体７０を流通可能とする流路となる隙間ｄ２を有するように密閉室１１０に配置されている。ここで、減衰板８０は、所定距離移動可能な状態となるように、スタッド２０の下端に取り付けられているが、例えば図３に拡大して示すように、図示せぬ被防振体に組み込まれ、静止した状態（以下、中立状態という）において、減衰板８０は、スタッド２０に対して、軸方向に隙間Ｓ１、Ｓ２及び軸直角方向に隙間Ｓ３を有して取り付けることで、所定距離移動（軸方向にＳ１＋Ｓ２、軸直角方向にＳ３）可能な状態にされている。また、減衰板８０は、弾性支持部材６０の当接部６１が係止され、弾性支持部材６０の径方向（図中Ｘ方向）の移動を規制するために所定の内周に沿って表面を凸状に盛り上げた係止部８１を有する。これにより、水平方向の高周波微振動に対して弾性支持部材６０の当接部５１が係止部８１に当接して弾性変形し、水平方向の高周波微振動をより効果的に吸収する。従って、水平方向の高周波微振動に対する防振性がより高くなる。なお、係止部８１は、例えば所定の内周に沿って所定の間隔で突条をプレス成形してもよいし、弾性支持部材６０の当接部６１を突条に形成し、減衰板８０にこの突条の当接部６１が嵌る溝を設けてもよいし、減衰板８０表面の係止領域にブラスト処理、粗面化など高摩擦処理を施し、これを係止部８１としてもよい。
【００４４】
また、減衰板８０は、例えば金属製であり、スタッド２０に取り付けられた円盤部８３と、当該円盤部８３の周縁部８４に接続され、容器１０の内壁１５に沿って下方に延在する円筒部８５とからなり、円筒部８５と容器１０との水平方向距離ｄ２よりも円筒状弾性部材５０と弾性支持部材６０との水平方向距離ｄ１の方が短い（ｄ１＜ｄ２）。これにより、スタッド２０の水平方向の動きに対して弾性支持部材６０が円筒状弾性部材５０の内壁面５１と接触し、円筒部８５が容器１０の内壁１５に当接することはないので、水平方向弾性ストッパとしての機能を確実に得ることができる。また、減衰板８０の円盤部８３の直径は、円筒状弾性部材５０の内径よりも長く、減衰板８０が上昇すると減衰板８０の上面８１が円筒状弾性部材５０の下面５２に当接するようになっている。
スプリング部材９０は、減衰板８０の下面８６と容器１０の底壁１１との間に配置され、減衰板８０の下面８６を支持する。
【００４５】
弾性支持部材６０は、スタッド２０の下部の外周面に嵌合固定されるとともに、減衰板８０の上面８２に当接するように配置され、スプリング部材９０との間で減衰板８０を挟持するように、例えば減衰板８０の下面８６よりスプリング部材９０が支持する位置と対応する減衰板８０の上面８２の位置より減衰板８０を支持する。ここで、弾性支持部材６０はスプリング部材９０のばね定数に対して、低いばね定数としている。すなわち、スプリング部材９０の硬いばねに対して、弾性支持部材６０は、柔らかいばねとしている。例えば、エンジンなどの振動体に起因する高周波微振動が、スタッド２０に印加された場合、スタッド２０は、高周波微振動で振動することになるが、粘性の高い液体７０は、高周波振動に追従して流動することができないため、実質的に、液体７０に浸った状態の減衰板８０を拘束することになる。そのため、スタッド２０と減衰板８０との間に生じる差動は、主として、スタッド２０と減衰板８０の間に介在する弾性支持部材６０の変形にて吸収することになる。弾性支持部材６０のばね定数がスプリング部材９０に対して低いため、変形しても減衰板へ与える反力が小さく、すなわち、振動絶縁性が高く、スタッド２０の高周波微振動を許容し、スタッド２０の振動が容器１０に伝播しない。
図４は、この弾性支持部材６０を下方からみた斜視図である。
【００４６】
図４にも示すように、弾性支持部材６０は、減衰板８０の上面８２に向けて突出して減衰板８０に当接する突条部６２を有する。突条部６２は、例えば弾性支持部材６０の下面６３の所定の間隔ｄ３をもって同心円状に複数設けられている。また、突条部６２は、下面６３側で、スタッド２０と面する側に隙間６４を有する。これにより、突条部６２がスタッド２０側へ移動したときに、この隙間６４へのボリューム移動をする余地ができ、水平方向の高周波微振動に対する弾性変形を大きく取ることができ、水平方向の防振性がより高くなる。その際、形状が突条であり、隙間６４を有していることから、この減衰板８０の微振動を許容する隙間、すなわち、減衰板８０の内周端部とこの内周端部が対向するスタッド２０の隙間への挟み込まれが生じづらい。
【００４７】
また、弾性支持部材６０は、金属よりなるリング状部材６５と、リング状部材６５の外周面に固着された円筒状の例えばゴム材料からなる弾性本体部６６とを有する。上記の減衰板８０に対向する面に設けられた突条部６２は、例えば弾性本体部６６と一体になっている。リング状部材６５と弾性本体部６６とは、例えば加硫接着により一体に成形される。これにより、弾性支持部材６０を組み込む際に、スタッド２０にリング状部材６５を圧入嵌合するだけでよく、例えばスタッド２０に弾性部材を嵌め込む場合等と比べて、強固に固定することができる。さらに、リング状部材６５の下端面にて、減衰板８０の可動域を規制することができる。
【００４８】
弾性支持部材６０の高さ（厚さ）は、中立状態では、減衰板８０の上面８２と円筒状弾性部材５０の下面５２との間隔よりも長く、すなわちその長い分が弾性支持部材６０の外周面６７と円筒状弾性部材５０の内壁面５１とが対向する領域となる。この弾性支持部材６０の高さ（厚さ）は、スタッド２０が許容される最下限まで沈んだ状態においても、弾性支持部材６０の外周面６７と円筒状弾性部材５０の内壁面５１と対向する領域が消失しない程度の高さ（厚さ）であることが好ましい。
【００４９】
本形態に係る液体封入式マウント１では、柔らかいばねの弾性支持部材６０と硬いばねのスプリング部材９０との間で減衰板８０を挟持するようにして、被防振体を弾性支持している。スプリング部材９０は、荷重を支える必要があるので、硬いばねであり、例えば線形ばねであるコイルスプリングを用いているが、弾性支持部材６０は、中立状態で、わずかに隙間の分だけスタッド２０を浮かせていればよい。スタッド２０が隙間以上に変位（大ストローク時）する場合は、スタッド２０が直接減衰板８０に当たった状態で振動するので、弾性支持部材６０は中立時に弾性を有すればよく、従って、弾性支持部材６０としては非線形性のゴムばねが適する。
【００５０】
ここで、スタッド２０又は容器１０が図示しない被防振体（例えば車輛本体やエンジン）から上下方向の負荷を受けた場合に、スタッド２０に固着された薄膜部３１の中心部又は容器１０に固着された外周縁部３２が上下方向に撓む。振幅が大きい振動の場合には、スタッド２０が大きく上下動し、その振動はスプリング部材９０の変形で吸収し、減衰板８０の撹拌抵抗で減衰する。
【００５１】
また、減衰板８０は、スタッド２０に対して所定距離移動可能な状態で取り付けられ、上下及び水平の両方向に対して微小変位が許容されるので、上下方向の高周波微振動に対しては、スタッド２０が高粘性の液体７０により疑似的な拘束状態である減衰板８０に対して変位し、その変位に応じて弾性支持部材６０が上下方向に微小変形することにより微振動を吸収する。一方、水平方向の高周波微振動に対しては、スタッド２０が拘束状態にある減衰板８０に対して変位し、減衰板８０の内周端部とこの内周端部に対向するスタッド２０の外周間のガタが減衰板の可動域を構成するとともに微小振動を許容し、減衰板８０に当接する弾性支持部材６０の水平方向変位により振動を減衰する。
従って、本形態に係る液体封入式マウント１は、上下及び水平の両方向の高周波微振動に対する防振性が高い。
【００５２】
本形態に係る液体封入式マウント１では、高周波微振動に対して弾性支持部材６０が変形するが、変形するのが弾性支持部材６０の一部分であるほぼ突条部６２であるので、弾性体の全体が振動に応じて物理的に変形可能な程度に柔らかい必要がある特許文献３に記載の液体封入式マウントに比し、へたりや破壊が生じ難く、耐久性が高いものとなる。
【００５３】
本形態に係る液体封入式マウント１では、減衰板８０自体には付加的要素を加えることなく、弾性支持部材６０とスプリング部材９０との間で減衰板８０を挟持するような構成であるので、特許文献１から３に記載の液体封入式マウントに比し、小型化が可能となる。
なお、減衰板８０は、弾性支持部材６０とスプリング部材９０との間で挟持するような構成であればよく、弾性支持部材６０の減衰板８０の当接位置とスプリング部材９０の減衰板８０の支持位置が減衰板８０を挟んで上下に揃える必要はないが、弾性支持部材６０の当接位置とスプリング部材９０の支持する位置とを減衰板８０を挟んで上下に揃えて配置した場合には、弾性支持部材６０の当接位置とスプリング部材９０の支持位置のズレによる曲げ応力が減衰板８０に掛からないので、繰り返し振動による減衰板８０の破損を考慮する必要がないので、好ましい。
【００５４】
加えて、本形態の液体封入式マウント１では、スタッド２０又は容器１０が図示しない被防振体（例えば車輛本体やエンジン）から水平方向の振動を入力すると、その振動に伴って弾性支持部材６０の外周面６７と円筒状弾性部材５０の内壁面５１との間の隙間ｄ１、すなわちこれらの間に挟まれた空間（高粘性の液体７０が存在する）が拡縮する。この空間の拡縮により、この空間に存在する高粘性の液体７０が強制流動し、水平方向の振動に対する減衰を得ることができる。すなわち、本形態の液体封入式マウント１では、基本的には減衰板８０の円筒部８５の外壁とそれに対向する容器１０の内壁１５との隙間ｄ２によって生じる高粘性の液体７０が強制流動によって水平方向の振動に対する減衰を得るものであるが、円筒状弾性部材５０及び弾性支持部材６０を備えることにより、水平方向に対してさらなる防振性を得ることができる。
【００５５】
また、本形態の液体封入式マウント１では、スタッド２０が水平方向に移動する場合には、弾性支持部材６０が円筒状弾性部材５０に接触するが、円筒状弾性部材５０及び保持部材４０が弾性支持部材６０と協働して水平方向弾性ストッパとして機能する。すなわち、本形態の液体封入式マウント１では、円筒状弾性部材５０及び弾性支持部材６０に加えて保持部材４０を備えることにより、可撓性密封蓋３０と減衰板８０との間に引用文献２のような固定減衰板なる部材は設ける必要がなくなり、上下方向の高さを低くすることができ、上下方向にコンパクトにすることができる。
更に、本形態の液体封入式マウント１では、可撓性密封蓋３０によりスタッド２０を保持しているので、大ストロークが可能である。
【００５６】
従って、本形態の液体封入式マウント１は、大ストロークが可能で、上下及び水平の両方向に対する防振性が高く、かつ、上下方向にコンパクトにすることができる。
【００５７】
さらに、弾性支持部材６０は、密閉室１１０を、弾性支持部材６０の外周面６７と円筒状弾性部材５０の内壁面５１との間の隙間を介して、上室と下室とに分離し、当該隙間を介して上室と下室との間で液体７０の流動を制御することができる。従って、弾性支持部材６０の高さや隙間ｄ１等を適宜設定することで例えば減衰板８０の上昇と同調して可撓性密封蓋３０に高圧がかからないように上記上室から上記下室への液体７０の流動を制御することで、可撓性密封蓋３０に高圧が印加されることを防止でき、可撓性密封蓋３０の高寿命化や膨らみの防止が可能となる。また、上記の隙間ｄ１や弾性支持部材６０の高さなどにより所望の流動抵抗を得ることができるので、設計の自由度が増すことになる。
【００５８】
また、本形態の液体封入式マウント１は、例えば第２の部材としてのエンジンが接続されるスタッド２０と第１の部材としての車輌本体が接続される容器１０との間は、スタッド２０が水平方向（図中Ｘ方向）に対して中立状態にあるときには、少なくとも可撓性密封蓋３０の薄膜部３１及びスプリング９０が介在するだけである。つまり、スタッド２０と容器１０との間は、スタッド２０が水平方向（図中Ｘ方向）に対して中立状態にあるときには、薄いゴムだけが振動伝達部材となるので、水平方向の微振動が伝わりづらくなる。
【００５９】
本発明は上記の実施形態には限定されず様々な範囲で変形して実施が可能であり、その変形の範囲も本発明の技術的範囲に属する。
例えば、図５に示す液体封入式マウント２のごとく、弾性支持部材２６０をスタッド２０と減衰板８０との間に介在するゴム製でリング形状の部材としてもよい。ここで、図６に示すように、弾性支持部材２６０は、例えば減衰板８０と接する当接面２６１を凹凸形状とするのがより好ましい。
【００６０】
また、図７に示す液体封入式マウント３のごとく、弾性支持部材３６０をスタッド２０と減衰板８０との間に介在する小ばねとしてもよい。なお、符号３６１は小ばねとしての弾性支持部材３６０をスタッド２０に取り付けるためのワッシャである。
【００６１】
上記実施形態では、可撓性密封蓋、保持部材及び円筒状弾性部材は、スタッドとともに、加硫成形により一体に成形される成形部材により構成される例を示したが、これらの部材一部又は全部を成形等の後に組み立てるように構成しても勿論かまわない。
上記の実施形態では、減衰板を逆さカップ状としたが、平板状などの他の形状にしてもよいことは勿論である。
【００６２】
上記の実施形態では、カップ状の容器の上端部に設けたフランジ部（共締め用爪）を折り曲げることにより、容器のフランジ部と成形部材のフランジ部を液密に一体化した場合を示したが、この共締め用爪を用いることに限定せず、溶接などの手段によって、液密に一体化してもよいことは勿論である。
【符号の説明】
【００６３】
１  液体封入式マウント
１０  カップ状の容器
１１  底壁
１２  開口部
２０  スタッド
３０  蓋部材としての可撓性密封蓋
５０  円筒状弾性部材
６０  弾性支持部材
６２  突条部
６５  リング状部材
６６  弾性本体部
７０  高粘性の液体
８０  減衰板
９０  スプリング
１１０  密閉室
【図１】
2015183805.tif 000003
【図２】
2015183805.tif 000004
【図３】
2015183805.tif 000005
【図４】
2015183805.tif 000006
【図５】
2015183805.tif 000007
【図６】
2015183805.tif 000008
【図７】
2015183805.tif 000009